(57)【要約】      （修正有）【課題】プラグの脱落を防止しまた使用の安全性を向上させるコンセント収容装置を提供する。【解決手段】蓋本体４０、第一の蓋板５０、および、第二の蓋板７０を備える。蓋本体４０は、枠状を呈するように固設されており、開孔が穿設されている。第一の蓋板５０は、蓋本体４０の開孔の一方に枢設されており、開孔の一部を封止し、開孔と接続している部分の反対側に切欠き部５１が形成されている。第二の蓋板７０は、蓋本体４０の開孔の他方に枢設されており、第一の蓋板５０により封止されている部分を除いた開孔を封止し、第一の蓋板５０の切欠き部５１に対向する突出部７１が設置されている。【選択図】図１
0003195043.tif 000002
【実用新案登録請求の範囲】
【請求項１】
枠状を呈するように固設されており、開孔が穿設されている蓋本体と、
前記蓋本体の前記開孔の一方に枢設されており、前記開孔の一部を封止し、前記開孔と接続している部分の反対側に切欠き部が形成されている第一の蓋板と、
前記蓋本体の前記開孔の他方に枢設されており、前記第一の蓋板により封止されている部分を除いた前記開孔を封止し、前記第一の蓋板の前記切欠き部に対向する突出部が設置されている第二の蓋板、を備えることを特徴とするコンセント収容装置。
【請求項２】
前記蓋本体は、前記開孔の前記一方と前記他方との間の縁部に軌道溝が設置されており、前記軌道溝に位置決めユニットが設置されており、
前記第一の蓋板は、前記蓋本体の前記軌道溝と対向する断面に位置決め凹部が凹設されており、
前記位置決めユニットは、前記第一の蓋板の前記位置決め凹部に対向する位置に係合ブロックが突設されており、前記係合ブロックが前記第一の蓋板の前記位置決め凹部に嵌合する、または、前記位置決め凹部から離脱することが可能であることを特徴とする請求項１に記載のコンセント収容装置。
【請求項３】
前記位置決めユニット、前記第一の蓋板、および、前記第二の蓋板は、前記蓋本体の前記開孔に当接し、前記開孔を封止することを特徴とする請求項２に記載のコンセント収容装置。
【請求項４】
前記位置決めユニットに弾性部材が設置されており、
前記弾性部材は、前記位置決めユニットの前記係合ブロックと前記第一の蓋板の前記位置決め凹部とを嵌合させる弾力を有することを特徴とする請求項３に記載のコンセント収容装置。
【請求項５】
前記弾性部材は、スプリングであり、一端が前記蓋本体に固定されており、他端が前記位置決めユニットを弾性的に支持することを特徴とする請求項４に記載のコンセント収容装置。
【請求項６】
第一の枢設セットをさらに備え、
前記第一の枢設セットは、第一の復帰部材および第一の枢設部材を有し、
前記第一の枢設部材は前記第一の蓋板を前記蓋本体に枢設し、
前記第一の復帰部材は前記第一の蓋板の内側面を弾性的に支持することを特徴とする請求項１に記載のコンセント収容装置。
【請求項７】
前記第一の枢設部材は第一のヒンジであり、
前記第一の復帰部材は、第一のトーションスプリングであり、前記第一のヒンジ周りに設置されており、一端が前記蓋本体に固定されており、他端が前記第一の蓋板の内側面を弾性的に支持し、普通の状態が圧縮状態であることを特徴とする請求項６に記載のコンセント収容装置。
【請求項８】
第二の枢設セットが別途含まれておりをさらに備え、
前記第二の枢設セットには、第二の復帰部材および第二の枢設部材を有し、
前記第二の枢設部材は前記第二の蓋板を前記蓋本体に枢設し、
前記第二の復帰部材は前記第二の蓋板の内側面を弾性的に支持することを特徴とする請求項１に記載のコンセント収容装置。
【請求項９】
前記第二の枢設部材は、第二のヒンジであり、
前記の復帰部材は、第二のトーションスプリングであり、前記第二のヒンジ周りに設置されており、一端が前記蓋本体に固定されており、他端が前記第二の蓋板の内側面を弾性的に支持し、普通の状態が圧縮されていない状態であることを特徴とする請求項８に記載のコンセント収容装置。
【請求項１０】
収容溝に設置可能であり、
中空カセットホルダおよびホルダをさらに備え、
前記中空カセットホルダは前記収容槽に収容されており、
前記ホルダは、前記中空カセットホルダに架設されており、コンセントを露出させる穿孔が形成されており、
前記蓋本体は前記ホルダに固設されており、枠状を呈し、前記中空カセットホルダの頂部に位置することを特徴とする請求項１に記載のコンセント収容装置。
【考案の詳細な説明】
【技術分野】
【０００１】
本考案は、コンセントの技術分野に関し、特にコンセント収容装置に関する。
【背景技術】
【０００２】
現在、電気製品が広範に使用されているため、コンセントは、一般の建築物に設けられている。それにより使用者は何処でもプラグを挿して使用することができる。ただし、従来のコンセントは、壁面に露出しているものであり、または、地面における差し込み式コンセントであり、外部に如何なる保護措置がない。コンセントが床に設けられている場合、床を清掃する時、短絡、漏電などの問題が生じやすくなる。従って、通常、コンセントを壁面に設置する。コンセントを床に設置する必要のある場合、使用上の制限がある。使用が不便なことにおいて、使用上の制限がある。また、従来のコンセントの差込み口が長期的に露出する場合、プラグが露出し、注意しないと人または動物がそれを蹴る場合、プラグが脱落するおそれがある。
【０００３】
また、市場において、コンセントに設置されている収容装置が改善され、それにより傳統的なコンセントとプラグを結合させる時、プラグが露出する問題が改善される。詳しく説明すると、壁面または床に必要なコンセントの位置に、凹んだ孔を予め設置することにより、コンセントを孔内に露出させる。また、壁面の外蓋に蓋板が設置され、使用する時に、蓋板を開け、プラグをコンセントに挿設し、プラグを孔の内部に収容し、プラグを壁面に露出させないようにする。ただし、この方法では、プラグに接続されている電線が蓋板を穿ち電器用品に接続する必要があるため、蓋板が壁面に突出し、使用上の不便をもたらし、美観を損なう。但し、蓋板を小さくし、電線を引き出すようにすれば、床または壁面を清掃する時に、蓋板が孔を封止することができず、使用上の不便をもたらす。
【考案の概要】
【考案が解決しようとする課題】
【０００４】
本考案は、上述の問題に鑑みてなされたものであり、その目的は、プラグの脱落を防止しまた使用の安全性を向上させるコンセント収容装置を提供することにある。
【課題を解決するための手段】
【０００５】
本考案の目的を達成するために、本考案によるコンセント収容装置は、蓋本体、第一の蓋板、および、第二の蓋板を備える。蓋本体は、枠状を呈するように固設されており、開孔が穿設されている。第一の蓋板は、蓋本体の開孔の一方に枢設されており、開孔の一部を封止し、開孔と接続している部分の反対側に切欠き部が形成されている。第二の蓋板は、蓋本体の開孔の他方に枢設されており、第一の蓋板により封止されている部分を除いた開孔を封止し、第一の蓋板の切欠き部に対向する突出部が設置されている。
【０００６】
本考案によるコンセント収容装置では、第一の蓋板および第二の蓋板の外部輪廓が対向するように設置されている。また、第二の蓋板はコンセントの方向へ回転することができる。また、プラグの電線を引き出すことができる。また、コンセント収容装置が表面の高さより突出しないように保持することができる。これにより使用上の安全性を向上させると同時に、プラグが挿設されていない時にも、コンセント収容装置の表面の封止状態を保持することができる。よって、使用者が床または壁面を清掃する時の利便性、および、外観上の美感をもたらすことができる。
【図面の簡単な説明】
【０００７】
【図１】本考案の一実施形態によるコンセント収容装置を示す斜視図である。
【図２】本考案の一実施形態によるコンセント収容装置の一部を示す断面図である。
【図３】本考案の一実施形態によるコンセント収容装置の動作状態を示す模式図である。
【図４】本考案の一実施形態によるコンセント収容装置の動作状態を示す模式図である。
【図５】本考案の一実施形態によるコンセント収容装置の動作状態を示す模式図である。
【考案を実施するための形態】
【０００８】
（一実施形態）
図１から図２に示すように、本考案のコンセント収容装置は、平面の収容槽（図に示されていない）に応用され、収容槽内にはコンセント１０が設置されており、中空カセットホルダ２０、ホルダ３０、蓋本体４０、第一の蓋板５０、第一の枢設セット６０、第二の蓋板７０、第二の枢設セット８０、および、位置決めユニット９０を備える。
【０００９】
中空カセットホルダ２０は収容槽内に収容されている。
【００１０】
ホルダ３０は、中空カセットホルダ２０内に設置されており、またコンセント１０を露出させる穿孔３１が形成されている。
【００１１】
蓋本体４０は、ホルダ３０に固設され、枠状を呈するように設置され、また中空カセットホルダ２０の頂部に位置する。蓋本体４０は、開孔４１が穿設されており、形が制限されておらず、例えば、円形、矩形、如何なる幾何形状または不規則形である。また蓋本体４０は開孔４１の側に軌道溝４２が設置されている。
【００１２】
第一の蓋板５０は、蓋本体４０の開孔４１の側に設置されており、一部の開孔４１を封止する。第一の蓋板５０は、開孔と接続している部分の反対側に切欠き部５１が形成されている。切欠き部５１は如何なる形を限定せず、第一の蓋板５０の蓋本体４０の軌道溝４２に対向する断面には位置決め凹部５２が凹設されている。
【００１３】
第一の枢設セット６０には、第一の復帰部材６２および第一の枢設部材６１が設置されている。第一の枢設部材６１は第一の蓋板５０を蓋本体４０に枢設する。また第一の復帰部材６２は第一の蓋板５０の内側面を弾性的に支持する。本実施形態に示すように、第一の枢設部材６１は第一のヒンジである。また第一の復帰部材６２は第一のトーションスプリングであり、第一のヒンジ周りに設置されている。第二のトーションスプリングの一端が蓋本体４０に位置決めされており、他端は第一の蓋板５０の内側面を支持する。第二のトーションスプリングの普通の状態は圧縮状態である。
【００１４】
第二の蓋板７０は、蓋本体４０の開孔４１の側に設置されている。また第二の蓋板７０は第一の蓋板５０により封止されてない開孔４１の部分を封止する。第二の蓋板７０は第一の蓋板５０の切欠き部５１に対向する位置に突出部７１が形成されている。
【００１５】
第二の枢設セット８０には、第二の復帰部材８２および第二の枢設部材８１が設置されている。第二の枢設部材８１は第二の蓋板７０を蓋本体４０に枢設し、第二の復帰部材８２は第二の蓋板７０の内側面を弾性的に支持する。本実施形態に示すように、第二の枢設部材８１は第二のヒンジであり、第二の復帰部材８２は第二のトーションスプリングであり第二のヒンジ周りに設置されている。また第二のトーションスプリングは、一端が蓋本体４０に位置決めされており、他端が第二の蓋板７０の内側面を支持する。第二のトーションスプリング普通の状態は圧縮されていない状態である。  
【００１６】
位置決めユニット９０は、蓋本体４０の軌道溝４２内に設置されており、第一の蓋板５０および第二の蓋板７０に当接し開孔４１を封止する。位置決めユニット９０は、第一の蓋板５０の位置決め凹部５２に対向する位置に係合ブロック９１が突設されており、内部に弾性部材９２が設置されている。弾性部材９２は、位置決めユニット９０の係合ブロック９１と第一の蓋板５０の位置決め凹部５２とを嵌合させる。また弾性部材９２は、本実施形態に示すようにスプリングであり、一端が蓋本体４０に位置決めされており、他端が位置決めユニット９０を弾性的に支持する。
【００１７】
通常、コンセント収容装置が使用されない時、即ちプラグ１１がコンセント１０に挿設されていない時に、図１および図２に示すように、位置決め凹部５２と位置決めユニット９０の係合ブロック９１とが嵌合することにより、第一の蓋板５０と第二の蓋板７０とが同じ平面を有する。これにより、第一の蓋板５０が第一の復帰部材６２に押圧され、第一の復帰部材６２は圧縮状態となる。第二の蓋板７０は第二の復帰部材８２が圧縮されていない自然な状態であるため、第一の蓋板５０、第二の蓋板７０および位置決めユニット９０は、完全に蓋本体４０を開孔４１に閉鎖することができる。
【００１８】
プラグ１１がコンセント１０に挿設される時、図３から図５に示すように、位置決めユニット９０を位置決め凹部５２方向へ引き出すことにより、弾性部材９２を圧縮する。それにより、位置決めユニット９０の係合ブロック９１は第一の蓋板５０の位置決め凹部５２から離脱し、第一の蓋板５０は第一の復帰部材６２に弾力的に跳ね返される。これにより、第一の蓋板５０は、第一の枢設部材６１を中心軸として回転し、プラグ１１を第二の蓋板７０に押圧することに合わせ、第二の復帰部材８２を圧縮し、蓋本体４０の開孔４１を露出させる。これにより、蓋本体４０の下方のコンセント１０にプラグ１１を挿設し易くなる。されに、第一の蓋板５０を下へ押すことにより、第一の復帰部材６２を圧縮し、位置決めユニット９０を開放させる。これにより、位置決めユニット９０内の弾性部材９２が弾力的に跳ね返され、位置決めユニット９０の係合ブロック９１を再び第一の蓋板５０の位置決め凹部５２に嵌合させる。このとき、第二の蓋板７０の下方向の圧力によりプラグ１１の電線１２が露出し易くなる。また、第一の蓋板５０の平坦性を保つことができる。また、本実施形態のコンセント収容装置において、プラグ１１を挿設する使用状態では、プラグ１１が蓋本体４０から突出することがなくなり、プラグ１１が蹴られること、または、プラグ１１に引っ掛かることが抑制され、使用の安全性および外観上の美感を向上させることができる。
【００１９】
本考案は上述の実施形態に基づいて説明したが、本考案のあらゆる実施形態は例示にすぎず、本考案の実質的な範囲に基づいた特徴を有するコンセント収容装置の各種の変化はすべて本考案に含まれる。
【符号の説明】
【００２０】
１０    コンセント、
１１    プラグ、
１２    電線、
２０    中空カセットホルダ、
３０    固定座、
３１    穿孔、
４０    蓋本体、
４１    開孔、
４２    軌道溝、
５０    第一の蓋板、
５１    切欠き部、
６０    第一の枢設セット、
６１    第一の枢設部材、
６２    第一の復帰部材、
７０    第二の蓋板、
７１    突出部、
８０    第二の枢設セット、
８１    第二の枢設部材、
８２    第二の復帰部材、
９０    位置決めユニット、
９１    係合ブロック、
９２    弾性部材。
【図１】
0003195043.tif 000003
【図２】
0003195043.tif 000004
【図３】
0003195043.tif 000005
【図４】
0003195043.tif 000006
【図５】
0003195043.tif 000007